(57)【要約】  本発明は、貫通孔が設けられた平型採便部及び係合部を有する採便棒と、前記採便棒の係合部と回転自在に係合するグリップと、前記採便棒の平型採便部が挿通する孔を有するとともに前記グリップと螺合するスクレーパトップと、前記採便棒の平型採便部が挿通する孔を有するとともに該スクレーパトップと係合するスクレーパアンダーと、該スクレーパアンダーと係合するとともに前記採便棒の平型採便部を収納する試薬容器とを備え、かつ前記スクレーパアンダーが、余剰便を収納する収納部と、前記採便棒の平型採便部と密着して余剰便を削ぎ取るとともに前記試薬容器を密封する封止部とを備えることを特徴とする採便容器である。
2009136445.tif 000002
【特許請求の範囲】
【請求項１】
貫通孔が設けられた平型採便部及び係合部を有する採便棒と、前記採便棒の係合部と回転自在に係合するグリップと、前記採便棒の平型採便部が挿通する孔を有するとともに前記グリップと螺合するスクレーパトップと、前記採便棒の平型採便部が挿通する孔を有するとともに該スクレーパトップと係合するスクレーパアンダーと、該スクレーパアンダーと係合するとともに前記採便棒の平型採便部を収納する試薬容器とを備え、かつ
前記スクレーパアンダーが、余剰便を収納する収納部と、前記採便棒の平型採便部と密着して余剰便を削ぎ取るとともに前記試薬容器を密封する封止部とを備えることを特徴とする採便容器。
【請求項２】
前記グリップが前記採便棒の係合部の先端部収納部収納部を備え、前記採便棒の係合部の先端部が前記先端部収納部に回転自在に収納される請求項１記載の採便容器。
【請求項３】
前記スクレーパアンダーが、前記採便棒の前記封止部への挿入をガイドするガイド部を備える請求項１記載の採便容器。
【請求項４】
前記平型採便部の前面と裏面で、前記貫通孔の位置がずれている請求項１記載の採便容器。
【発明の詳細な説明】
【技術分野】
【０００１】
本発明は、便検体を採取し、それを便検体希釈溶液に希釈して収容する採便容器に関する。
【背景技術】
【０００２】
糞便中の潜血の検出は、消化器疾患、特に消化管出血のスクリーニング法として知られており、消化管の潰瘍ならびに癌等の出血性疾患の診断上非常に重要なものである。【０００３】
糞便中の潜血の検出を実施するためには、前もって糞便を採取し、それを適当な液体に懸濁させて所定の糞便懸濁液を調整しておく必要がある。
採取する糞便（便検体）の量は、すくな過ぎると感度の低下を招くので、充分な量を採取することが重要である。一方で、便検体の量が多すぎると、悪臭のもとになり、輸送にも不便である。更に、検査終了後に余分な便検体を処分する際にも問題を生じる。従って、常に一定の量を安定的に採取して検査することが重要である。【０００４】
従来、種々の糞便採取容器が提案されており、例えば以下のような文献が知られている。
特許文献１は、先端若しくは先端近傍に採便ブラシを備えた採便棒を提案している。この採便ブラシを備えた採便棒は、糞便の表面を採便ブラシで擦過することにより表面付近から検体を容易に採取できると共に、糞便の種々の箇所から検体を採取することができる。
しかしながら、このような採便ブラシ方式では、ブラシの間に入った便検体が希釈溶液に溶け難い問題がある。また、このような採便ブラシを備えた採便棒の製造工程が簡単でないので、全体としてコストが高くなってしまう問題がある。【０００５】
特許文献２は、試薬容器に中栓を設け、該中栓を回動することにより、採便棒を試薬容器から摺動自在に取り付けられる採便容器を提案している。この採便容器では、採取した糞便が誤って衣服や身体についたりすることを防止できるので、衛生的であるという利点がある。
しかしながら、この採便容器も製造工程が簡単ではないので、歩留まりが悪いという問題があり、また製造コストも高いという問題がある。【０００６】
一方、従来の採便棒としては、図４Ａ及び図４Ｂに示すような形状も提案されていた。この例では、丸棒型の採便棒に凹部が設けられ、この凹部に便検体を採取することになる。しかしながら、このような凹部を有する丸棒型の採便棒では、採取量が少なくなってしまい、余剰便を削ぎ取る際に、図４Ｃに示すように空気を巻き込んで更に採取量が少なくなってしまう。そのため、診断に充分な量の便検体を採取するのが困難であった。【０００７】
【特許文献１】特開平8−285845号公報
【特許文献２】特開平９−33519
【発明の開示】
【発明が解決しようとする課題】
【０００８】
本発明は、上記現状の問題点に鑑み、検査対象の便の性状に関わらず、充分かつ定量の便検体を安定的に採取でき、更に輸送（特に、郵送）にも適する採便容器を提供することを目的とする。
【課題を解決するための手段】
【０００９】
本発明は、貫通孔が設けられた平型採便部及び係合部を有する採便棒と、前記採便棒の係合部と回転自在に係合するグリップと、前記採便棒の平型採便部が貫通する孔を有するとともに前記グリップと螺合するスクレーパトップと、前記採便棒の平型採便部が貫通する孔を有するとともに該スクレーパトップと係合するスクレーパアンダーと、該スクレーパアンダーと係合するとともに前記採便棒の平型採便部を収納する試薬容器とを備え、かつ前記スクレーパアンダーが、余剰便を収納する収納部と、前記採便棒の平型採便部と密着して余剰便を削ぎ取るとともに前記試薬容器を密封する封止部とを備えることを特徴とする採便容器である。前記スクレーパアンダーに設けられた前記孔は、前記封止部にて、前記採便棒の平型採便部の断面形状と略同一の形状である。
また、本発明の採便容器において、前記グリップが前記採便棒の係合部の先端部収納部を備え、前記採便棒の係合部の先端部が前記先端部収納部に回転自在に収納されることが好ましい。
また、本発明の採便容器において、前記スクレーパアンダーが、前記採便棒の前記封止部への挿入をガイドするガイド部を備えることが好ましい。
さらに、本発明の採便容器において、前記平型採便部の前面と裏面で、前記貫通孔の位置がずれていることが好ましい。
【発明の効果】
【００１０】
本発明の採便容器によると、検査対象の便の性状に関わらず、充分かつ定量の便検体を安定的に採取でき、更に輸送（特に、郵送）に適する採便容器を提供することができる。
【図面の簡単な説明】
【００１１】
【図１】本発明の採便容器の一例の分解斜視図である。
【図２Ａ】採便棒とグリップが係合する前の状態を示す斜視図である
【図２Ｂ】採便棒とグリップが係合する後の状態を示す斜視図である。
【図３Ａ】採便棒の採便部の断面形状が略楕円形状の場合、採便部の断面形状とスクレーパアンダーの封止部の断面形状の関係を示す斜視図である。
【図３Ｂ】採便棒の採便部の断面形状が四角形の場合、採便部の断面形状とスクレーパアンダーの封止部の断面形状の関係を示す斜視図である。
【図３Ｃ】採便棒の採便部の断面形状が六角形の場合、採便部の断面形状とスクレーパアンダーの封止部の断面形状の関係を示す斜視図である。
【図４Ａ】従来の凹部を有する丸棒型の採便棒及び余剰便削ぎ取り孔の一例を示す斜視図である。
【図４Ｂ】従来の凹部を有する丸棒型の採便棒及び余剰便削ぎ取り孔の他の一例を示す斜視図である。
【図４Ｃ】従来の凹部を有する丸棒型の採便棒における余剰便削ぎ取り状態を示す縦断面図である。
【図５Ａ】貫通孔を有する平型採便棒及び余剰便削ぎ取り孔を示す斜視図である。
【図５Ｂ】貫通孔を有する平型採便棒における余剰便削ぎ取り状態を示す縦断面図である。
【図６Ａ】貫通孔を有する平型採便部の一例を示す縦断面図である。
【図６Ｂ】貫通孔を有する平型採便部の他の一例を示す縦断面図である。
【図７Ａ】ガイド部を有するスクレーパアンダーを示す斜視図である。
【図７Ｂ】ガイド部を有するスクレーパアンダーを示す上面図である。
【図７Ｃ】ガイド部を有するスクレーパアンダーを示す上面図である。
【図８Ａ】ガイド部の一例を示す斜視図である。
【図８Ｂ】ガイド部の一例を示す側面図である。
【図８Ｃ】ガイド部の一例を示す正面図である。
【図９Ａ】ガイド部の他の一例を示す斜視図である。
【図９Ｂ】ガイド部の他の一例を示す側面図である。
【図９Ｃ】ガイド部の他の一例を示す正面図である。
【図１０Ａ】グリップと係合した採便棒を、スクレーパアンダーが係合された試薬容器に挿入する際の第１状態を示す縦断面図である。
【図１０Ｂ】グリップと係合した採便棒を、スクレーパアンダーが係合された試薬容器に挿入する際の第２状態を示す縦断面図である。
【図１０Ｃ】グリップと係合した採便棒を、スクレーパアンダーが係合された試薬容器に挿入する際の第３状態を示す縦断面図である。
【図１０Ｄ】グリップと係合した採便棒を、スクレーパアンダーが係合された試薬容器に挿入する際の第４状態を示す縦断面図である。
【図１０Ｅ】グリップと係合した採便棒を、スクレーパアンダーが係合された試薬容器に挿入する際の第５状態を示す縦断面図である。
【図１１Ａ】正面から見た、採便棒とグリップとスクレーパトップとスクレーパアンダーとが相互に係合された状態を示す縦断面図である。
【図１１Ｂ】側面から見た、採便棒とグリップとスクレーパトップとスクレーパアンダーとが相互に係合された状態を示す縦断面図である。
【符号の説明】
【００１２】
１…グリップ、１１…採便棒の係合部の先端部収納部、１２…掛合突部、１３…ねじ部、２…スクレーパトップ、２１…ねじ部、２３…孔、３……スクレーパアンダー、３１…収納部、３２…封止部、３３、３３´…ガイド部、３５…孔、３６、１３６…余剰便削ぎ取り孔、３７…凸部、３８…係合部、４…試薬容器、４１…凹部、４２…ノズル、５…採便棒、５１…係合部、５２、１５２Ａ、１５２Ｂ…採便部、５３…掛合突部、５４…先端部、５５…貫通孔、１５５Ａ、１５５Ｂ…凹部、５６…封止部、６…フィルター、７…ノズルキャップ、８…ラベル、１０…採便容器、Ａ…泡、Ｂ、Ｂ´…余剰便
【発明を実施するための最良の形態】
【００１３】
以下、本発明の好適な実施形態について、図面を参照しながら詳細に説明する。但し、本発明は以下の各実施形態に限定されるものではない。
図1は、本発明の一実施形態の採便容器の分解斜視図である。
図１において、本発明の採便容器１０は、貫通孔５５が設けられた平型採便部５２及び係合部５１を有する採便棒５と、前記採便棒５の係合部５１と回転自在に係合するグリップ１と、前記採便棒５の平型採便部５２が挿通する孔２３を有するとともに前記グリップ１と螺合するスクレーパトップ２と、前記採便棒５の平型採便部５２が挿通する孔３５を有するとともに該スクレーパトップ２と係合するスクレーパアンダー３と、該スクレーパアンダー３と係合するとともに前記採便棒５の平型採便部５２を収納する試薬容器４とを備え、かつ前記スクレーパアンダー３が、余剰便を収納する収納部３１（図１１Ａ、図１１Ｂ）と、前記採便棒５の平型採便部５２と密着して余剰便を削ぎ取るとともに前記試薬容器４の溶液が漏れないように封止する封止部３２（図１１Ａ、図１１Ｂ）とを備えることを特徴とする採便容器である。前記スクレーパアンダー３に設けられた前記孔３５は、前記封止部３２にて、前記採便棒５の平型採便部５２の断面形状と略同一の形状である。
なお、採便棒５をスクレーパトップ２から引き抜く際には、グリップ１とスクレーパトップ２との螺合を解除してから引き抜くことになるため、後述する試薬容器４の内部の試薬が飛散することが防止できる（図１０Ａ〜図１０Ｅ）。【００１４】
（採便棒５）
図１に示すように、採便棒５は係合部５１と採便部５２とから構成されており、通常、一体成型されている。
採便棒５の材質としては特に限定されないが、人間が保持するのに適し、また後述する試薬容器４の材質より硬い硬度を持つものが適しており、例えば、ＡＢＳ、ＰＳ等の合成樹脂が挙げられる。
係合部５１は、掛合突部５３、先端部５４及び封止部５６を有する。
掛合突部５３は係合部５１の外周壁に突設されており、掛合突部５３を後述するグリップ１の内周壁に突設されている掛合突部１２と掛合されることにより、採便棒５を後述するグリップ１と回転自在に係合する。
図２Ａ及び図２Ｂは、それぞれ、採便棒とグリップが係合する前及び後の状態を示す斜視図である。図２Ａに示すように、採便棒５をグリップ１の内部に圧入すると、採便棒５の掛合突部５３はグリップ１の掛合突部１２を乗り越え、図２Ｂに示すように掛合突部１２に掛合される。それによって、採便棒５はグリップ１と回転自在に係合する。【００１５】
先端部５４は、図２Ａ及び図２Ｂに示すように、すり鉢状であるが、半球状、円錐状などの形状でも構わない。先端部５４は、採便棒５が後述するグリップ１に係合される際に、グリップ１に設けられている先端部収納部１１に回転自在に保持される。それによって、採便棒５とグリップ１は、二箇所、即ち掛合突部１２と掛合突部５３、及び先端部収納部１１と先端部５４で仮固定され、採便棒５がグリップ１内で回転自在でありながら安定に係合される。【００１６】
封止部５６は、図２Ａ及び図２Ｂに示すように、円柱状である。封止部５６の直径は後述するスクレーパトップ２のねじ部２１の内直径と略同一である。それによって、封止部５６は、後述するスクレーパトップ２のねじ部２１に挿入される際に、スクレーパトップ２のねじ部２１の内部と密着し、万一、後述する試薬容器の液体が収納部３１に漏れた場合に、その溶液がスクレーパトップ２のねじ部２１と封止部５６の隙間から外部に漏れないように封止する。封止部５６は、後述するスクレーパトップ２のねじ部２１に挿入される際に、ガイドされながらスムーズに挿入されるように、封止部５６の下部（平型採便部５２に近い方）の直径を上部の直径より小さくすることが好ましい（図１１Ａ、図１１Ｂ）。
採便部５２は、図１に示すように平型板状であり、採便部５２には厚み方向に貫通する貫通孔５５が設けられている。
採便部５２の形状としては、平型であれば特に限定されないが、例えば、採便部５２の先端がＲ形状であれば、採便棒５が後述するスクレーパアンダー３に挿入される際に、採便棒５自体が回転し易くなり、スクレーパアンダー３の内部にスムーズに挿入される。
採便部５２の大きさは、特に限定されるものではなく、貫通孔の形状及び大きさ、採便容器の大きさなどに応じて適宜設計することができる。【００１７】
貫通孔５５の形状は、特に限定されるものではなく、例えば、円状、楕円状、四角形と円形を組み合わせた形状、多角状（三角形、四角形、五角形、六角形など）などが挙げられる。
貫通孔５５の大きさも特に限定されるものではなく、採便部５２の大きさや採便量などによって適宜設計することができる。
貫通孔５５は、貫通孔一個当たりの採便量をなるべく大きくするために、採便部５２の前面と裏面で大きさ及び形状が略同一であることが好ましい。この貫通孔５５によって、その前面及び裏面で便検体が溶液に接触することになるため、溶解し易くなる。【００１８】
貫通孔５５は、採便部５２の前面と裏面で孔の位置が採便部５２の長さ方向にずれていることが好ましい。図６Ａは貫通孔を有する平型採便部の一例を示す縦断面図であり、図６Ｂは貫通孔を有する平型採便部の他の一例を示す縦断面図である。
貫通孔５５が採便部５２の表面から裏面にかけて貫通する形態は、特に限定されるものではないが、例えば、図６Ａに示すように、直線的に貫通されても良く、図６Ｂに示すように階段状に二段階で貫通されても良い。ここで、角度θ１は、採便部５２の長さ方向から垂直に、前面と裏面とを最短で結ぶ直線と、貫通孔５５の前面側の端と裏面側の端とを結ぶ直線とがなす角度である（図６Ａ、図６Ｂ）。角度θ１は、３０〜６０°が好ましく、４０〜５０°がさらに好ましく、４５°前後が特に好ましい。
図６Ａ及び図６Ｂに示すように、貫通孔５５が採便部５２の前面と裏面で孔の位置がずれることにより、貫通孔５５に採取される便検体に含まれる空気が抜け易くなり、よって貫通孔一個当たりの採取量を増やすことができる。【００１９】
貫通孔５５の数も特に限定されるものではなく、採便量、採便棒の大きさなどに応じて適宜設計することができる。例えば、必要とする採便量に貫通孔一個当たりの採取量で割ることで、貫通孔の数を決めることができる。貫通孔一個当たりの採便量は、便の性質によって異なる。そのため、採取しにくい便の場合には、貫通孔の数を増やした採便棒を用い、採取し易い便の場合には貫通孔の数を減らした採便棒を用いることなどが可能である。【００２０】
（グリップ１）
グリップ１は、採便棒５をグリップ１内に回転自在に係合するとともに、スクレーパトップ２と螺合するものである。
図１１Ａは、正面から見た、採便棒とグリップとスクレーパトップとスクレーパアンダーとが相互に係合された状態を示す縦断面図であり、図１１Ｂは、側面から見た、採便棒とグリップとスクレーパトップとスクレーパアンダーとが相互に係合された状態を示す縦断面図である。
図１１Ａ及び図１１Ｂに示すように、グリップ１は、先端部収納部１１、掛合突部１２及びねじ部１３を有する。【００２１】
先端部収納部１１は、グリップ１の内部の上端に設けられており、採便棒５の先端部５４を収納する。先端部収納部１１の大きさは、採便棒５の先端部５４より大きく、そのため、採便棒５の先端部５４が先端部収納部１１に回転自在に保持される。
掛合突部１２は、図２Ａに示すように、グリップ１の内周壁に突設されており、採便棒５をグリップ１内に圧入する際は、採便棒５の掛合突部５３がグリップ１の掛合突部１２を乗り越え、図２Ｂに示すように掛合突部１２に掛合される。それによって、グリップ１と採便棒５は回転自在に保持する。
このように、グリップ１と採便棒５とは、二箇所、即ち掛合突部１２と掛合突部５３、及び先端部収納部１１と先端部５４で仮固定されるので、グリップ１の中心軸と採便棒５の中心軸が平行関係を維持し、採便棒５がグリップ１内で不安定になることを防ぐ。
ねじ部１３は、図１１Ａ及び図１１Ｂに示すようにグリップ１の下部に設けられており、後述するスクレーパトップ２のねじ部２１と螺合する。
グリップ１の材質として、特に限定されていないが、例えば、ＡＢＳ、低密度ポリエチレン、高密度ポリエチレン、ポリカーボネート、ポリプロピレンなどが挙げられる。【００２２】
（スクレーパトップ２）
スクレーパトップ２は、採便棒５が挿通する孔２３を有するとともにグリップ１と螺合するものである。
図１１Ａ及び図１１Ｂに示すように、スクレーパトップ２の上部には、ねじ部２１が設けられている。前記採便棒５が挿通する孔２３の直径は、ねじ部２１にて、採便棒５の封止部５６の上部の直径と略同一である。それによって、採便棒５の封止部５６がねじ部２１に挿入される際に、スクレーパトップ２のねじ部２１の内部と密着し、後述する試薬容器４を密封することができる。
スクレーパトップ２の下端は、後述するスクレーパアンダー３と係合する。係合の方法としては、超音波溶着や圧入などが挙げられる。
スクレーパトップ２の材質としては特に限定されないが、採便棒５の封止部５６とねじ部２１との密封性を向上する観点から、封止部５６より柔らかい材料が好ましく、具体的には、低密度のポリエチレン樹脂などが挙げられる。【００２３】
（スクレーパアンダー３）
スクレーパアンダー３は、採便棒５が挿通する孔３５を有するとともに、上端がスクレーパトップ２と係合し、下端が後述する試薬容器４と係合するものである。
図１１Ａ及び図１１Ｂに示すように、スクレーパアンダー３は、余剰便を収納する収納部３１と、採便棒５と密着して後述する試薬容器４の溶液が漏れないように封止する封止部３２と、試薬容器４と密着係合する係合部３８とを有し、該係合部３８は、凸部３７を有する。
収納部３１の下部はロート状になっており、採便棒５が収納部３１から封止部３２へスムーズに挿入されるようにガイドする。
封止部３２の断面形状及び大きさは、採便棒５の採便部５２の断面形状及び大きさと略同一である。そのため、封止部３２の上端（収納部３１と連結する部分）は、採便部５２が封止部３２に挿入される際に、採便部５２に付着している余剰便を削ぎ取ることができる。削ぎ取られた余剰便は収納部３１に収納される。
また、封止部３２は採便部５２と密着するので、試薬容器４の溶液が採便部５２と封止部３２との隙間から漏れることを防ぐ。封止部３２において、前記採便部５が挿通する孔３５は、前記平型採便部５２の断面形状と略同一形状の断面形状である。例えば、採便部の断面形状が略楕円形状（図３Ａ）、四角形（図３Ｂ）、六角形（図３Ｃ）であれば、前記孔３５の断面形状も封止部３２において、同一形状である。
係合部３８は、試薬容器４と係合するためのものである。係合部３８の外周壁には、凸部３７が設けられ、後述する試薬容器の内周壁に設けられる凹部４１と嵌合されることが好ましい。それによって、スクレーパアンダー３と試薬容器４が係合される。【００２４】
本発明の採便容器のスクレーパアンダー３は、さらにはガイド部が設けられることが好ましい。図７Ａはガイド部を有するスクレーパアンダーを示す斜視図であり、図７Ｂ及び図７Ｃはガイド部を有するスクレーパアンダーを示す上面図である。図７Ａにおいて、収納部３１の形状が見えるようにするため、係合部３８は省略されている。
図７Ａ、図７Ｂ及び図７Ｃに示すように、収納部３１の内側には、挿入される採便部５２の幅方向の略中央部分の両側にガイド部３３、３３が設置されている。
図８Ａ、図８Ｂ及び図８Ｃは、それぞれ、ガイド部の一例を示す斜視図、側面図及び正面図であり、図９Ａ、図９Ｂ及び図９Ｃは、それぞれ、ガイド部の他の一例を示す斜視図、側面図及び正面図である。図８Ｂ及び図９Ｂに示すように、ガイド部３３の上端は傾斜面を有することが好ましい。それによって、採便部５２の先端がガイド部３３、３３の傾斜面に接触される際に、前記傾斜面から受ける水平方向の力により、グリップ１に回転自在に係合されている採便棒５が回転し、採便部５２の方向がスクレーパアンダー３の孔３５に合うように調整され、スムーズに挿入させることが可能である。傾斜面は平面であっても、曲面であっても良い。
ガイド部３３、３３の断面形状は、図８Ａ及び図９Ａに示すように略半円型でも四角形でも良い。成形上、ガイド部３３の上部の幅ｈ１は下部の幅ｈ２より小さい（図８Ｃ、図９Ｃ）。
図７Ｂに示すように、ガイド部３３の幅ｈ２は採便部５２の幅Ｗ以上であることが好ましい。また、ガイド部３３と３３との距離ｇは採便部５２の厚みＴ以上であり、採便部５２の幅Ｗより小さい。前記距離ｇと前記幅Ｗは、ｇ≦０．８Ｗであることが好ましく、ｇ≦０．７Ｗであることがより好ましく、ｇ≦０．６Ｗであることが特に好ましい。これにより、図７Ｃに示すように、採便部５２がガイド部３３、３３の間に挿入される際に回転できる角度（θ２）が約４５〜６０°の範囲に制御されることができ、採便棒５がスムーズに封止部３２に挿入されることができる。【００２５】
スクレーパアンダー３の材質としては、特に限定されていないが、例えば、ＡＢＳ、低密度ポリエチレン、高密度ポリエチレン、ポリカーボネート、ポリプロピレンなどが挙げられる。
本発明の採便容器では、スクレーパ（スクレーパトップ２及びスクレーパアンダー３を含む）と採便棒５が脱着自在になっているので、他の形状の採便棒や綿棒などを付けて、別の用途として使用することも可能である。【００２６】
（試薬容器４）
試薬容器４は、試薬を収納するためのものであり、上端がスクレーパアンダー３と連結される。試薬容器４の内周壁には、凹部４１が設けられており、スクレーパアンダー３の係合部３８の凸部３７と嵌合されることにより、スクレーパアンダー３と連結される。【００２７】
試薬容器４の下端は、便検体希釈液を容器から取り出し可能なものであれば、特に限定されない。例えば、ノズルを設けるタイプや、ピアッシングタイプなどが挙げられる。その中でも、ノズルを設けるタイプは、便検体希釈液を簡便に取り出すことができるので、好ましい。ノズル４２の先端は開放されており、ノズルキャップ７で閉めることができる。ノズル４２の孔径は希釈液取り出し時の操作性の観点から適宜決定すればよい。【００２８】
便検体が希釈された便検体希釈液に混入した固形物を取り除きつつ溶液を外部に取り出すために、ノズル４２にフィルター６を有することが好ましい。
フィルター６の形状としては、特に限定されないが、例えば、球状、円柱状、円錐状、二つ以上円柱の組み合わせたものなどが挙げられる。
フィルター６の材料としては、特に限定されないが、例えば、高分子焼結体、不織布、ポリエチレン繊維、ろ紙、発泡ポリウレタン、セラミックなどが挙げられる。【００２９】
試薬容器４の材質としては特に限定されないが、採便時又は希釈液取り出し時に操作するものが試薬容器４内部を確認できるよう、透明又は半透明の材質が好ましい。また、採便後にノズル４２から希釈液を容易に取り出すことができるよう、軽く手で加圧することによって表面が凹む程度の柔軟性を持った材質が好ましい。例えば、低密度ポリエチレン、ポリプロピレン、ＰＥＴなどが挙げられる。
【産業上の利用可能性】
【００３０】
本発明の採便容器によれば、検査対象の便の性状に関わらず、充分かつ定量の便検体を安定的に採取でき、郵送に適する採便容器を提供することができ、産業上大きな意義がある。
【図１】
2009136445.tif 000003
【図２Ａ】
2009136445.tif 000004
【図２Ｂ】
2009136445.tif 000005
【図３Ａ】
2009136445.tif 000006
【図３Ｂ】
2009136445.tif 000007
【図３Ｃ】
2009136445.tif 000008
【図４Ａ】
2009136445.tif 000009
【図４Ｂ】
2009136445.tif 000010
【図４Ｃ】
2009136445.tif 000011
【図５Ａ】
2009136445.tif 000012
【図５Ｂ】
2009136445.tif 000013
【図６Ａ】
2009136445.tif 000014
【図６Ｂ】
2009136445.tif 000015
【図７Ａ】
2009136445.tif 000016
【図７Ｂ】
2009136445.tif 000017
【図７Ｃ】
2009136445.tif 000018
【図８Ａ】
2009136445.tif 000019
【図８Ｂ】
2009136445.tif 000020
【図８Ｃ】
2009136445.tif 000021
【図９Ａ】
2009136445.tif 000022
【図９Ｂ】
2009136445.tif 000023
【図９Ｃ】
2009136445.tif 000024
【図１０Ａ】
2009136445.tif 000025
【図１０Ｂ】
2009136445.tif 000026
【図１０Ｃ】
2009136445.tif 000027
【図１０Ｄ】
2009136445.tif 000028
【図１０Ｅ】
2009136445.tif 000029
【図１１Ａ】
2009136445.tif 000030
【図１１Ｂ】
2009136445.tif 000031
【国際調査報告】
2009136445.tif 000032
2009136445.tif 000033
2009136445.tif 000034
2009136445.tif 000035